(57)【要約】【課題】原木丸太から使用方法まで含めた一貫した製品を提案するもので、木材の無駄をなくし木取り率を大幅に向上させることができて、割れもできにくい木材を利用して作製する面構造体であって、採光や換気のための開口を設ける工事が不要な面構造体を提供すること。【解決手段】各柱状体１は土台７及び桁１７に支持されて、各柱状体１の上面に形成した嵌合溝１Ｃ１及び下面に形成した嵌合溝１Ｃ２内に嵌合した各支軸体９の支軸部９Ｂを支点として回動可能となり、回動させると各柱状体１のカットされた部分３により形成される空間Ｓが両隣の前記柱状体１同志間に形成される。【選択図】図５
2019023411.tif 000002
【特許請求の範囲】
【請求項１】
木造家屋における土台と桁とに取り付けられる面構造体において、
丸太状の原木を２つ割を除く複数割した木材の芯を含む部分を切除して構成した柱状体の横断面が円弧状の側面が室外側又は室内側となるように交互に互い違いとなるように且つ隣りとなる両柱状体の一方の側面同志が接触するように並設し、前記各柱状体を前記土台及び前記桁に上下方向を軸として回動可能に支持したことを特徴とする面構造体。
【請求項２】
木造家屋における土台と桁とに取り付けられる面構造体において、
丸太状の原木を２つ割を除く複数割した木材の芯を含む部分を切除して構成した柱状体の上面及び下面にそれぞれ嵌合溝を開設し、前記土台及び前記桁に支持された各支軸体をそれぞれ前記嵌合溝に嵌合し、前記柱状体の横断面が円弧状の側面が室外側又は室内側となるように交互に互い違いとなるように且つ隣りとなる両柱状体の一方の側面同志が接触するように並設し、一の前記柱状体を対応する各支軸体を支点として時計回りに回動可能とし、その隣の前記柱状体を対応する各支軸体を支点として反時計回りに回動可能としたことを特徴とする面構造体。
【請求項３】
前記支軸体を前記土台又は前記桁に開設した取付溝に嵌合する嵌合部と、この嵌合部の上面又は下面に立設した円柱状の支軸部とから構成し、前記各支軸体の前記支軸部に円筒中空状のカラーを被せて、このカラーを介して前記土台及び前記桁の前記各嵌合溝に前記各支軸体の前記支軸部を嵌合させて、前記各柱状体を前記各支軸体の前記支軸部を支点として回動可能にしたことを特徴とする請求項２に記載の面構造体。
【発明の詳細な説明】
【技術分野】
【０００１】
本発明は、木造家屋における土台と桁とに取り付けられる面構造体に関する。
【背景技術】
【０００２】
複数本連結される柱状体を利用しても、強度が高く、地震に強い面構造体は、例えば本特許出願人による特許文献１にて提案されている。即ち、木材で作製された柱状体の対向する両側面の中間位置にほぞ溝を形成すると共にこのほぞ溝を挟んで両側にほぞを形成して、一の柱状体の一方の面に形成された前記ほぞ溝に他の柱状体の他方の面に形成された一方のほぞを嵌合させ、この他の柱状体の一方の面に形成された前記ほぞ溝に次の他の柱状体の他方の面に形成された他方のほぞを嵌合させるようにして、次々に前記柱状体群を互い違いとなるように連結するようにして前記土台に取り付ける技術が提案されている。
【先行技術文献】
【特許文献】
【０００３】
【特許文献１】特許第６１２８３８２号公報
【発明の概要】
【発明が解決しようとする課題】
【０００４】
一般的に、建築材料である木材を作るのには丸太（原木）を製材して乾燥させて製品にする。しかし、その製造過程では丸太の表面の割れを防ぐためにスプリンクラーで水をかけたり、大きな水槽に浸したりした後に、製材して強制乾燥させるが、この乾燥のためには大掛かりな設備が必要であって、コストが非常に掛かり、また製品にした木材は細胞が壊れたりして内部が割れたり、木材に含まれている成分が水蒸気と一緒に出てしまって本来の木材の良さを失ってしまうことがある。一方、木造家屋の壁は一旦作ってしまうと、そこに採光や換気のための開口を設ける工事は、大変な費用と工期が必要であって、簡単に開口を設ける方法がないものかが市場において問われていた。
【０００５】
このため、本発明では丸太状の原木から使用方法まで含めた一貫した製品を提案するもので、木材の無駄をなくし木取り率を大幅に向上させることができて、割れもできにくい木材を利用して作製する面構造体であって、採光や換気のための開口を設ける工事が不要な面構造体を提供することを目的とする。
【課題を解決するための手段】
【０００６】
そこで第１の発明は、木造家屋における土台と桁とに取り付けられる面構造体において、
丸太状の原木を２つ割を除く複数割した木材の芯を含む部分を切除して構成した柱状体の横断面が円弧状の側面が室外側又は室内側となるように交互に互い違いとなるように且つ隣りとなる両柱状体の一方の側面同志が接触するように並設し、前記各柱状体を前記土台及び前記桁に上下方向を軸として回動可能に支持したことを特徴とする。
【０００７】
また第２の発明は、木造家屋における土台と桁とに取り付けられる面構造体において、
丸太状の原木を２つ割を除く複数割した木材の芯を含む部分を切除して構成した柱状体の上面及び下面にそれぞれ嵌合溝を開設し、前記土台及び前記桁に支持された各支軸体をそれぞれ前記嵌合溝に嵌合し、前記柱状体の横断面が円弧状の側面が室外側又は室内側となるように交互に互い違いとなるように且つ隣りとなる両柱状体の一方の側面同志が接触するように並設し、一の前記柱状体を対応する各支軸体を支点として時計回りに回動可能とし、その隣の前記柱状体を対応する各支軸体を支点として反時計回りに回動可能としたことを特徴とする。
【０００８】
更に第３の発明は、第２の発明において、前記支軸体を前記土台又は前記桁に開設した取付溝に嵌合する嵌合部と、この嵌合部の上面又は下面に立設した円柱状の支軸部とから構成し、前記各支軸体の前記支軸部に円筒中空状のカラーを被せて、このカラーを介して前記土台及び前記桁の前記各嵌合溝に前記各支軸体の前記支軸部を嵌合させて、前記各柱状体を前記各支軸体の前記支軸部を支点として回動可能にしたことを特徴とする。
【発明の効果】
【０００９】
本発明は、丸太状の原木から使用方法まで含めた一貫した製品を提案するもので、木材の無駄をなくし木取り率を大幅に向上させることができて、割れもできにくい木材を利用して作製する面構造体であって、採光や換気のための開口を設ける工事が不要な面構造体を提供することができる。
【図面の簡単な説明】
【００１０】
【図１】図１（ア）は丸太状の原木の斜視図、（イ）は原木を長手方向に沿って２つ割（二等分割）にした状態の斜視図、（ウ）は原木を長手方向に沿って四つ割り（四等分割）にした状態の斜視図、（エ）は芯を含む部分をカット（切除）した状態の斜視図である。
【図２】図１（エ）に示す柱状体の一方の側面を示す図である。
【図３】柱状体群を室内室外方向への向きが交互に互い違いとなるように組み合わせて構成された面構造体を木造家屋の室内側から見た斜視図である。
【図４】並設した柱状体群の平面図である。
【図５】右隅の柱状体を９０度時計回りに回動させた状態の柱状体群の平面図である。
【図６】右隅の柱状体を９０度時計回りに回動させると共に真ん中の柱状体を９０度反時計回りに回動させた状態の柱状体群の平面図である。
【図７】全ての柱状体を時計回り又は反時計回りに９０度回動させた状態の平面図である。
【図８】全ての柱状体を時計回り又は反時計回りに１８０度回動させた状態の平面図である。
【図９】部屋の２面が交わるコーナー部（部屋の角部）における柱状体群の平面図である。
【図１０】土台の斜視図である。
【図１１】図１１（オ）は支軸体の平面図、（カ）は支軸体の側面図である。
【図１２】図１２（キ）はカラーの平面図、（ク）はカラーの側面図である。
【図１３】土台及び桁に柱状体を取り付けた状態の縦断面図である。
【図１４】他の実施形態の柱状体の一方の側面を示す図である。
【発明を実施するための形態】
【００１１】
以下、基礎体に固定される土台に取り付けられる木造家屋の面構造体について、図１乃至図１４に基づいて説明する。先ず図１に基づいて、前記面構造体を構成する柱状体１の製造方法について説明する。初めに、２は伐採して一定長さにした皮を剥いだ状態の丸太状の原木で、この原木２が立っている状態で上面であるＳ面が末口２Ａであり、下面であるＭ面が元口２Ｂである。そして、前記末口２Ａの直径が例えば３０ｃｍであり、Ｍ面の前記元口２Ｂの直径は３０ｃｍより僅か大きいが、説明の便宜上、同じ直径であるとして説明する。
【００１２】
そして、前記原木２を複数に縦割り分割（長手方向に沿って分割）するが、本実施形態では、例えば四つ割りにするものとして説明する。即ち、初めに丸太の状態（図１（ア）参照）から、表面に割れが発生しないうちに前記原木２の中心線Ａ（前記末口２Ａ及び前記元口２Ｂの中心）を通るように前記原木２の長手方向に沿って２つ割（二等分割）にし（図１（イ）参照）、次いで同様に前記中心線Ａを通るように前記長手方向に沿って四つ割り（四等分割）にする（図１（ウ）参照）。この四つ割りにしたら、ここから原木ではなく木材と呼ぶ。
【００１３】
なお、本実施形態は四つ割りにしたものを使用するが、これに限らず、２つ割を除いた三つ割、五つ割、その他の複数に分割したものでもよい。この場合、複数に分割したものであっても、等分割したものを使用してもよいし、必ずしも等分割したものでなくともよい。従って、横一線状に並設させた前記柱状体１群により形成させる面構造体に対応できるばかりか、等分割したものでないものを使用することにより平面視曲線状になるように並設して前記面構造体を形成する場合にも対応できる。
【００１４】
この四つ割りにして皮を剥いで設定寸法にした状態において、縦長方向にした状態で平面視したときの前記中心線Ａに対応する点Ａ１、点Ｂ１、点Ｃ１を結んだ形状が直角二等辺三角形となるように、また底面視したときの点Ａ２、点Ｂ２、点Ｃ２を結んだ形状が直角二等辺三角形となるように、一方の面の点Ｂ１、点Ｃ１及び他方の面の点Ｂ２、点Ｃ２とを通るように縦断して、部分３（芯を含む）をカット（切除）したものが前記柱状体１（図１（エ）参照）で、線分Ａ１Ｂ１と線分Ａ１Ｃ１と成す角度、及び線分Ａ２Ｂ２と線分Ａ２Ｃ２との成す角度はそれぞれ９０度である。
【００１５】
図２は図１（エ）に示す前記柱状体１の一方の側面を示す図で、後述する嵌合溝１Ｃ１、１Ｃ２を形成する前の状態である。この図２において、前記末口２Ａの直径が例えば３０ｃｍの前記原木２を使用した時の前記柱状体１の線分Ａ１Ｄ１、線分Ａ１Ｆ１（点Ｆ１は円弧Ｄ１Ｅ１の中点である。）及び線分Ａ１Ｅ１の前記設定寸法は１４０ｍｍとするが、実際の寸法は前記原木２の表面がでこぼこしていたり丸みも一定ではないため、多少寸法が大きかったり小さかったりする。
【００１６】
以下、詳述する本発明によれば、乾燥するための大掛かりな設備は必要なく、自然乾燥又は低温乾燥で割れの少ない前記柱状体１が作製でき、前述したように芯を含む前記部分３をカット（切除）しているので、細胞が壊れたりして内部が割れたりしないで、本来の木材に含まれている成分をそのまま生かして寿命も伸ばせる環境に優しい商品が出来る。
【００１７】
図３は前記柱状体１群を室内室外方向への向きが交互に互い違いとなるように組み合わせて構成された面構造体を木造家屋の室内側から見た斜視図で、この図３に沿って以下説明する。初めに、基礎体６にアンカーボルトを埋め込み、このアンカーボルトを土台７に挿通させて、前記基礎体６に前記土台７を固定させ、この土台７上に前記柱状体１群を取り付ける。
【００１８】
即ち、図３における右隅の前記柱状体１をその横断面が円弧状の側面１Ｃが室外側となるように向けて配設し、この右隅の前記柱状体１に右から２番目の前記柱状体１をその横断面が円弧状の側面１Ｃが室内側となるように向けて隣設するというように、前記柱状体１群を室内室外方向への向きが交互に互い違いとなるように配設し、前記面構造体を作製する。
【００１９】
この場合、図２及び図３に示すように、前記柱状体１群を室内室外方向への向きが交互に互い違いとなるように隣設させるので、前記柱状体１の縦長の両側面１Ａ、１Ｂのうち、隣りとなる両柱状体１の一方の側面１Ｂ同志が重ね合って又はほとんど重ね合って接触するように並設されることとなる。
【００２０】
次に、理解し易いように並設した前記柱状体１群の平面図である図４から図１３に基づいて、前記柱状体１群の設置方法について、より詳細に説明する。なお、前記柱状体１はその外形が前記側面１Ａ、１Ｂ、円弧状の前記側面１Ｃ、この側面１Ｃと対向する平面１Ｄ、上面１Ｅ及び下面１Ｆの６面から構成される６面体の立体構造である（図３参照）。即ち、前記側面１Ａは点Ｃ１、Ｃ２、Ｅ２、Ｅ１を結ぶ面、前記側面１Ｂは点Ｂ１、Ｂ２、Ｄ２、Ｄ１を結ぶ面、円弧状の前記側面１Ｃは点Ｄ１、Ｄ２、Ｅ２、Ｅ１を結ぶ面、前記側面１Ｃと対向する前記平面１Ｄは点Ｂ１、Ｂ２、Ｃ２、Ｃ１を結ぶ面、前記上面１Ｅは点Ｂ１、Ｃ１、Ｅ１、Ｄ１を結ぶ面、前記下面１Ｆは点Ｂ２、Ｃ２、Ｅ２、Ｄ２を結ぶ面である。
【００２１】
以下の説明の便宜上、前記柱状体１群の平面図である図４から図１３に沿って、説明する。先ず、前述したように、点Ｆ１、Ｆ２は円弧Ｄ１Ｅ１、Ｄ２Ｅ２それぞれの中点であって、点Ｇ１、Ｇ２は線分Ｂ１Ｃ１、Ｂ２Ｃ２それぞれの中点であり、各柱状体１の点Ａ１、点Ｇ１、点Ｆ１を通る基準線ＳＬ１同志の間隔や点Ａ２、点Ｇ２、点Ｆ２を通る基準線ＳＬ１同志の間隔は寸法Ｌ１である。
【００２２】
また、各柱状体１の前記各基準線ＳＬ１上における線分Ａ１Ｆ１、Ａ２Ｆ２の中点をそれぞれ点Ｏ１とし、これらの点Ｏ１同志を結ぶ線分が前記柱状体１の回動中心である。そして、隣設する各柱状体１の前記点Ｏ１同志を結ぶ各基準線ＳＬ２は前述した各基準線ＳＬ１と直角に交わることになる。
【００２３】
そして、複数の前記柱状体１を並設して平面視すると、右隅の前記柱状体１の点Ａ１と点Ｂ１（右隅から２番目の柱状体１の点Ｄ１でもある。）、右隅の前記柱状体１の点Ｄ１（右隅から２番目の柱状体１の点Ｂ１でもある。）と右隅から２番目の柱状体１の点Ａ１とは直線上に並び、同じく底面視すると、右隅の前記柱状体１の点Ａ２と点Ｂ２（右隅から２番目の柱状体１の点Ｄ２でもある。）、右隅の前記柱状体１の点Ｄ２（右隅から２番目の柱状体１の点Ｂ２でもある。）と右隅から２番目の柱状体１の点Ａ２とは直線上に並ぶ。
【００２４】
また同様に、複数の前記柱状体１を並設して平面視すると、右隅から２番目の前記柱状体１の点Ａ１と点Ｃ１（右隅から３番目の柱状体１の点Ｅ１でもある。）、右隅から２番目の前記柱状体１の点Ｅ１（右隅から３番目の柱状体１の点Ｃ１でもある。）と右隅から３番目の柱状体１の点Ａ１とは直線上に並び、同じく底面視すると、右隅から２番目の前記柱状体１の点Ａ２と点Ｃ２（右隅から３番目の柱状体１の点Ｅ２でもある。）、右隅から２番目の前記柱状体１の点Ｅ２（右隅から３番目の柱状体１の点Ｃ２でもある。）と右隅から３番目の柱状体１の点Ａ２とは直線上に並ぶ。そして、各柱状体１の線分Ｂ１Ｃ１、線分Ｂ２Ｃ２は前記各基準線ＳＬ２と平行となる。
【００２５】
なお、前記寸法Ｌ１と線分Ａ１Ｆ１、Ａ２Ｆ２とを同じにして複数の前記柱状体１を並設したときに、図４における真ん中の前記柱状体１の点Ｂ１又はＢ２と右隣の前記柱状体１の点Ｄ１又はＤ２とが、また同じく真ん中の前記柱状体１の点Ｄ１又はＤ２と右隣の前記柱状体１の点Ｂ１又はＢ２とが同位置になるように（重なるように）、更に同じく真ん中の前記柱状体１の点Ｃ１又はＣ２と左隣の前記柱状体１の点Ｅ１又はＥ２とが、また同じく真ん中の前記柱状体１の点Ｅ１又はＥ２と左隣の前記柱状体１の点Ｃ１又はＣ２とが同位置になるように（重なるように）、前記各基準線ＳＬ２と平行な線分Ｂ１Ｃ１、Ｂ２Ｃ２の位置を選択する。
【００２６】
このように、線分Ｂ１Ｃ１、Ｂ２Ｃ２の位置を選択することにより、上下の点Ｏ１同志を結んだ中心線を軸として一方の前記柱状体１を９０度回動させたときに、隣の前記柱状体１に接触している状態から非接触となって回動をすることが可能となる。なお、線分Ｂ１Ｃ１、Ｂ２Ｃ２の位置をこの位置よりもそれぞれ点Ａ１、Ａ２寄りに選択すると隣の前記柱状体１に当接して回動ができず、逆にそれぞれ点Ｏ１寄りに選択すると接触することなく回動できることとなる。
【００２７】
図５は図４に示す柱状体１群の並設状態から右隅の前記柱状体１を上下の点Ｏ１同志を結んだ中心線を軸として時計回りに９０度回動させた状態を示す図であり、図４に示す回動前では真ん中の前記柱状体１の点Ｄ１又はＤ２と右隅の前記柱状体１の点Ｂ１又はＢ２とが同位置にあって重なって、真ん中の柱状体１の前記側面１Ｂと右隅の柱状体１の前記側面１Ｂとが面接触していたが、右隅の前記柱状体１の時計回りの回動に伴い、前記面接触状態から非接触状態となり、やがて時計回りに９０度回動すると、図５に示す状態となる。
【００２８】
次に、図６は図５に示す状態から真ん中の前記柱状体１を上下の点Ｏ１同志を結んだ中心線を軸として反時計回りに９０度回動させた状態を示す図
であり、図５に示す回動前では左の前記柱状体１の点Ｅ１又はＥ２と真ん中の前記柱状体１の点Ｃ１又はＣ２とが同位置にあって重なって左の前記柱状体１の前記側面１Ｂと真ん中の前記柱状体１の前記側面１Ｂとが面接触していたが、真ん中の前記柱状体１の反時計回りの回動に伴い、前記面接触状態から非接触状態となり、やがて反時計回りに９０度回動すると、図６に示す状態となる。
【００２９】
そして、同様に左の前記柱状体１を時計回りに９０度回動させると、図７に示す状態となって、図４に示す状態から並設した全ての前記柱状体１群を時計回りに９０度回動させることができる。これにより、各柱状体１のカット（切除）された前記部分３により形成される空間Ｓが両隣の前記柱状体１同志間に形成され、特別な工事をすることなく、前記空間Ｓを介して採光ができ、また風が通り抜けることができて室内の湿気をとれる換気のための開口を形成することができ、特にサウナ室を構成した場合の換気に好適である。
【００３０】
なお、右隅の前記柱状体１を回動させないと、その左隣の前記柱状体１は回動できず、また回動させる角度によって隣設する各柱状体１同志間に形成させる開口の大きさが異なるので、採光できる量や換気できる量が各柱状体１の回動角度調節にて加減できる。
【００３１】
また、以上のように、図４に示す状態から並設した全ての前記柱状体１を９０度回動させた状態から、これらの全ての前記柱状体１を更に９０度回動させると、即ち図４に示す状態とは１８０度反転させた状態となる（図８参照）。即ち、各柱状体１はその横断面が円弧状の前記側面１Ｃと対向する前記平面１Ｄとが図４の状態とは逆になります。
【００３２】
このように、前記柱状体１群を１８０度反転させた状態にすることにより、いままで室内側に向いていた面を室外側に向くようにすることができ、室内側に向いていた面に湿気を含んだ時やカビの発生が懸念された時などに、１８０度反転させて太陽に当てて乾燥させることができるので、これらの問題は有効に解決することができる。更には、特に冬季期間中において、昼間日光により蓄熱した面を夜間に反転させることにより室内に放熱させることができ、暖房効果を発揮して快適空間が形成できて、暖房費の節約にも貢献できる。
【００３３】
次に本発明によれば、横一線状に並設させた前記柱状体１群により形成させた面構造体に限らず、面構造体により形成される部屋の２面が交わるコーナー部（部屋の角部）においても対応できるので、以下図９に基づいて、説明する。ここでは、前記コーナー部における右隅及び上隅の前記柱状体１の回動中心となる各点Ｏ２の位置が、他の前記柱状体１の回動中心となる各点Ｏ１の位置と異なり、即ち他の前記柱状体１が上下の点Ｏ１同志を結んだ中心線を軸として回動するのに対して、右隅及び上隅の前記柱状体１が上下の点Ｏ２同志を結んだ中心線を軸として回動するものである。また、右隅及び上隅の前記柱状体１の形状が他の前記柱状体１と一部異なるものであり、以下説明する。
【００３４】
先ず、前記コーナー部を形成する両柱状体１の点Ａ１同志及び点Ａ２同志は重なっており、この前記コーナー部を形成する両柱状体１の点Ａ１（又はＡ２）とこの両柱状体１の隣の各柱状体１（図９において、横方向に並設した右隅の前記柱状体１の左隣の前記柱状体１及び縦方向に並設した上隅の前記柱状体１の下隣の前記柱状体１）の点Ａ１（又はＡ２）とを結ぶ線を直線ＳＬ３とする。
【００３５】
そして、前記コーナー部（部屋の角部）を形成する右隅の前記柱状体１の前記側面１Ａと上隅の前記柱状体１の前記側面１Ｂとは一致して全て面接触した状態であり、前記直線ＳＬ３と平行な、右隅の前記柱状体１の線分Ｅ１Ｃ１又はＥ２Ｃ２と上隅の前記柱状体１の線分Ｄ１Ｂ１又はＤ２Ｂ２上の点Ｈ１を通る直線ＳＬ４上の点Ｏ２を選択する。
【００３６】
そして、前記コーナー部（部屋の角部）を形成する右隅の前記柱状体１にあっては、上の点Ｏ２と点Ｈ１との長さを半径とする点Ｏ２、下の点Ｏ２と点Ｈ１との長さを半径とする点Ｏ２を中心とする円弧を描いて、この円弧の外の点Ｅ１を含む角部分８をカット（切除）する。また、前記コーナー部（部屋の角部）を形成する上隅の前記柱状体１にあっては、上の点Ｏ２と点Ｈ１との長さを半径とする点Ｏ２、下の点Ｏ２と点Ｈ１との長さを半径とする点Ｏ２を中心とする円弧を描いて、この円弧の外の点Ｄ１を含む角部分９をカット（切除）する。
【００３７】
このようにカット（切除）することにより、前記コーナー部（部屋の角部）を形成する右隅の前記柱状体１にあっては、上下の点Ｏ２と点Ｈ１との長さを半径とする円弧の他方の端部を上下共にそれぞれ点Ｊ１として、前記コーナー部（部屋の角部）を形成する上隅の前記柱状体１にあっては、上下の点Ｏ２と点Ｈ１との長さを半径とする円弧の他方の端部を上下共にそれぞれ点Ｋ１とする。
【００３８】
このように構成することにより、図９の２点鎖線で示すように、先ず前記コーナー部を形成する右隅の前記柱状体１を上下の点Ｏ２同志を結んだ中心線を軸として時計回りに９０度回動させる際に、点Ｏ２と点Ｊ１との間の寸法及び点Ｏ２と点Ｈ１との間の寸法は共に同じ寸法で回動半径であるので、点Ｊ１が回動前の点Ｈ１の位置へと移動するときに、右隅の前記柱状体１の前記角部分８をカットされて形成された横断面が円弧状の面が前記コーナーの角部を形成する上隅の前記柱状体１の上下に長い線分Ｈ１Ｈ１と接触しながら（擦りながら）上隅の前記柱状体１は時計回りに回動できる。
【００３９】
また、前記右隅の前記柱状体１の時計回り９０度の回動後に、前記コーナー部を形成する上隅の前記柱状体１を上下の点Ｏ２同志を結んだ中心線を軸として反時計回りに９０度回動させる際に、点Ｏ２と点Ｋ１との間の寸法及び点Ｏ２と点Ｈ１との間の寸法は共に同じ寸法で回動半径であるので、点Ｋ１が回動前の点Ｈ１の位置へと移動するときに、上隅の前記柱状体１の前記角部分９をカットされて形成された横断面が円弧状の面が前記コーナーの角部を形成する回動後の右隅の前記柱状体１の上下に長い線分Ｊ１Ｊ１と接触しながら（擦りながら）上隅の前記柱状体１は反時計回りに回動できる。
【００４０】
そして、以上のような右隅及び上隅の前記柱状体１の回動後に、右隅の前記柱状体１の隣の前記柱状体１を反時計方向に回動させ、また上隅の前記柱状体１の隣の前記柱状体１を時計方向に回動させると、右隅の前記柱状体１とその左隣の前記柱状体１との間及び上隅の前記柱状体１とその下隣の前記柱状体１との間に空間（開口）が形成できて、更に順次隣の前記柱状体１を回動させると、同様に隣の前記柱状体１同志間に空間ができて、前述したように、採光や換気に役立つことができる。即ち、以上説明したように、部屋の角部である前記コーナー部においても、採光や換気に役立つことができる。
【００４１】
次に、図１０から図１３に基づいて、前記基礎体６上に固定される前記土台７や前記柱状体１が回動するための構造について、以下説明する。先ず図１０において、前記土台７の室内側の上面を切除して室外側の上面７Ａより低い段差部７Ｂを形成する。また、前記段差部７Ｂにより形成される空間に連通するように前記上面７Ａの室内側を所定間隔毎に切除して、即ち前記基準線ＳＬ１同志の間隔である前記寸法Ｌ１毎に正四角柱状の取付溝７Ｃを形成する。この前記取付溝７Ｃは上方向と室内方向が開放し、下面が前記段差部７Ｃの上面と同じ面一である。
【００４２】
９は支軸体で、前記土台７の前記取付溝７Ｃに嵌合する下部の正四角柱状の嵌合部９Ａと、この嵌合部９Ａの上面中央部（一方の面の中央部）に立設される円柱状の支軸部９Ｂとを備えている（図１１参照）。そして、前記嵌合部９Ａは前記取付溝７Ｃに嵌合し易いように且つ前記取付溝７Ｃ内で移動しにくいように、前記取付溝７Ｃより僅か小さくて、また前記土台７の前記取付溝７Ｃに前記嵌合部９Ａが嵌合した状態では前記嵌合部９Ａの上面と前記土台７の前記上面７Ａとは同一レベルで、同じ面一となる。
【００４３】
そして、前記柱状体１が上下の点Ｏ１同志を結んだ中心線を軸として回動するように、前記柱状体１の下面には前記点Ｏ１を中心とする円柱状の嵌合溝１Ｃ１を形成する（図１３参照）。図１２に示す１０はカラーで、前記支軸体９の回りを前記カラー１０が円滑に回動できるように前記支軸体９の前記支軸部９Ｂにより下方から遊びを持った状態で嵌合（遊嵌）されると共に前記カラー１０の回りを前記柱状体１が円滑に回動できるように前記柱状体１の前記嵌合溝１Ｃ１、１Ｃ２内に遊びを持った状態で嵌合する有底円筒状の嵌合部１０Ａと、この嵌合部１０Ａの下端部に外方へ拡開した鍔状の当接部１０Ｂとを備えている。
【００４４】
なお、前記支軸部９Ｂの長さより前記カラー１０の長さ（前記当接部１０Ｂと前記嵌合部１０Ａとの合計の高さ）が僅か長くなるように作製する。また、前記カラー１０は、例えば真鍮製や、硬質の合成樹脂材料で構成され、前記柱状体１の前記嵌合溝１Ｃ１内に嵌合した前記カラー１０との間で抵抗が小さく木製の前記柱状体１は円滑に回動できる。
【００４５】
なお、前記柱状体１群上部を取り付けるための桁１７も、前記土台７と同様な構造を呈するように構成するので、簡単に説明する。即ち、室内側の下面を切除して室外側の下面１７Ａより高い段差部１７Ｂを形成すると共に下面の室内側を切除して所定間隔毎に、即ち前記基準線ＳＬ１同志の間隔である前記寸法Ｌ１毎に、正四角柱状の取付溝１７Ｃを形成して、前記土台７と同様な構造を呈するように構成する。
【００４６】
また、前記柱状体１が上下の点Ｏ１同志を結んだ中心線を軸として回動するように、前述したように、前記柱状体１の上面、下面に前記点Ｏ１を中心とする円柱状の前記嵌合溝１Ｃ１、１Ｃ２を形成する。
【００４７】
そして、各支軸体９の各支軸部９Ｂにそれぞれ前記カラー１０を被せた状態で前記柱状体１の上部の前記嵌合溝１Ｃ１及び下部の前記嵌合溝１Ｃ２内に各支軸部９Ｂ及び前記各カラー１０を嵌合させた状態のまま、室内方向より前記柱状体１を室内側より室外方向へ移動させて、前記土台７の前記取付溝７Ｃ内に上面に前記支軸部９Ｂを立設した一方（下方）の前記支軸体９の前記嵌合部９Ａを嵌合させると共に前記桁１７の前記取付溝１７Ｃ内に下面に前記支軸部９Ｂを立設した他方（上方）の前記支軸体９の前記嵌合部９Ａを嵌合させることにより、前記土台７及び前記桁１７に前記各柱状体１を順次取り付ける。
【００４８】
この取り付けた後に、前記土台７の前記取付溝７Ｃ及び前記桁１７の前記取付溝１７Ｃから各支軸体９の各嵌合部９Ａが抜けないように、前記土台７及び前記桁１７の段差部７Ｂ及び１７Ｂにより形成される空間内に横長の角柱状の固定体１５Ａ、１５Ｂをそれぞれはめ込んだ後、例えばビスを使用して前記土台７及び前記桁１７に前記固定体１５Ａ、１５Ｂを取り外し可能に固定する（図１３参照）。
【００４９】
そして、任意の前記柱状体１を新しいものに交換する場合には、前記土台７及び前記桁１７から前記固定体１５Ａ、１５Ｂを取り外した後、前記土台７の前記取付溝７Ｃ及び前記桁１７の前記取付溝１７Ｃから各支軸体９の各嵌合部９Ａを抜き出すようにして、交換されるべき前記柱状体１を前記カラー１０や前記支軸体９と共に室内方向へ引き出し、前述したような手順で代わりに新たな前記柱状体１を取り付ければよい。
【００５０】
このようにして、各柱状体１は前記土台７及び前記桁１７に支持されて、各柱状体１の上面に形成した前記嵌合溝１Ｃ１及び下面に形成した前記嵌合溝１Ｃ２内に嵌合した各支軸体９の前記支軸部９Ｂを支点（支軸）として回動でき、言い換えると、各柱状体１は前記土台７及び前記桁１７に回動可能に支持されて、前記柱状体１は上下の点Ｏ１同志を結んだ中心線（上下の前記支軸体９の前記支軸部９Ｂの回動中心線）を軸として回動できる。
【００５１】
従って、前述したように、回動させると各柱状体１のカットされた前記部分３により形成される前記空間Ｓが両隣の前記柱状体１同志間に形成され、特別な工事をすることなく、採光ができ、また風が通り抜けることができて室内の湿気をとれる換気のための開口を形成することとなり、また１８０度反転させた場合には、前述したような効果を発揮することができる。
【００５２】
なお、図９に示すような実施形態にあっては、右隅及び上隅に設置される柱状体１の回動の中心は点Ｏ２であるため、右隅及び上隅に設置される前記柱状体１にあっては、前記嵌合溝１Ｃ１及び１Ｃ２はこの点Ｏ２に対応する位置に形成するものとする。
【００５３】
なお、前記柱状体の他の実施形態を示す図１４に示すように、前記柱状体１の表面にその長手方向（縦方向）に沿って伸びる凹部１Ｘ及び凸部１Ｙを交互に形成することにより、雨が降って前記面構造体を構成する前記柱状体１の外表面に当たったり、例えば木造家屋としてサウナ室とした場合にはミスト等の水滴が前記柱状体１の外表面に当たったりしても、雨滴や水滴は前記凹部１Ｘ及び前記凸部Ｙに沿って案内されて下方へ移動し易く、表面積も大きいから乾燥し易く、前記柱状体１の腐食が防止でき、耐久性が向上できる。
【００５４】
なお、前記凹部１Ｘ及び前記凸部Ｙは、そのサイズ、形状、形成する間隔等は問わない。また、本実施形態では、前記凹部１Ｘ及び前記凸部Ｙを６面のうち、前記上面１Ｅ及び前記下面１Ｆを除く、他の４面である前記側面１Ａ、１Ｂ、円弧状の前記側面１Ｃ、この側面１Ｃと対向する前記平面１Ｄに形成するが、少なくとも前記側面１Ｃ及び前記平面１Ｄには形成するものである。
【００５５】
以上のように、本実施形態によれば、丸太状の原木から使用方法まで含めた一貫した製品を提案でき、木材の無駄をなくし木取り率（原木から必要な寸法、品質の木材を製材する場合の原木に占める木材の比率）を大幅に向上させることができて、割れもできにくい木材を利用して作製する面構造体であって、採光や換気のための開口を設ける工事が不要な面構造体を提供することができる。
【００５６】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【産業上の利用可能性】
【００５７】
各柱状体１は、回動させることにより各柱状体１同志間に開口を形成できるので、デザイン住宅の壁やログハウスの壁や、サウナ室、絵画などの保管庫、防災用ハウス、店舗、木製の塀やデッキ材としてなど、種々の利用が考えられる。
【符号の説明】
【００５８】
１              柱状体
１Ｃ１、１Ｃ２  嵌合溝
２              原木
３              部分
７              土台
７Ｃ            取付溝
９              支軸体
９Ｂ            支軸部
１０            カラー
１０Ａ          嵌合部
１７            桁
【図１】
2019023411.tif 000003
【図２】
2019023411.tif 000004
【図３】
2019023411.tif 000005
【図４】
2019023411.tif 000006
【図５】
2019023411.tif 000007
【図６】
2019023411.tif 000008
【図７】
2019023411.tif 000009
【図８】
2019023411.tif 000010
【図９】
2019023411.tif 000011
【図１０】
2019023411.tif 000012
【図１１】
2019023411.tif 000013
【図１２】
2019023411.tif 000014
【図１３】
2019023411.tif 000015
【図１４】
2019023411.tif 000016